【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
処理システムに設けられる検出部のデータをイベントとして収集する第１プロセッサと、
前記第１プロセッサによって収集された前記イベントを保持する第１キューと、
前記第１キューに保持された前記イベントに生産情報を付加し、処理イベントを出力する第２プロセッサと、
が、表示された編集領域において互いに接続されて構築されたデータ収集フローを読み込み、
前記データ収集フローに対応するプログラムを駆動することで、前記処理システムからの前記生産情報が付加された前記データの収集を実行する、
データ収集ユニット。
【請求項２】
前記収集において、
前記処理システムへのワークの投入を示す前記イベントが保持されると、複数の状態と、前記複数の状態間の遷移と、アクションと、を含むステートマシンを生成し、
前記生産情報としてＩＤを発番して前記ステートマシンに付加する、
請求項１記載のデータ収集ユニット。
【請求項３】
前記収集において、
前記処理システムにおける波形データを前記イベントとして収集し、
前記波形データの一部を切り出し、前記ＩＤと紐付ける、
請求項２記載のデータ収集ユニット。
【請求項４】
前記データ収集フローは、前記処理イベントの保持と、前記処理イベントの出力と、をさらに含む、請求項１〜３のいずれか１つに記載のデータ収集ユニット。
【請求項５】
前記データ収集フローに対応する設定ファイルと、前記設定ファイルの文法定義を含む定義ファイルと、を読み込み、
前記文法定義に基づいて、前記設定ファイルの文法に誤りが無いか判定し、誤りが無かった場合に、前記設定ファイルに記述された前記データ収集フローを読み込む、請求項１〜４のいずれか１つ記載のデータ収集ユニット。
【請求項６】
前記設定ファイルの文法に誤りが有った場合に、通知を発する、請求項５記載のデータ収集ユニット。
【請求項７】
請求項１〜６のいずれか１つに記載のデータ収集ユニットと、
前記第１プロセッサ、前記第１キュー、及び前記第２プロセッサを含むソフトウェア部品に対する操作を受け付け可能な前記編集領域を表示させ、
構築された前記データ収集フローを出力する、
モデル編集ユニットと、
を備えた支援システム。
【請求項８】
処理システムに設けられる検出部のデータをイベントとして収集する第１プロセッサと、
前記第１プロセッサによって収集された前記イベントを保持する第１キューと、
前記第１キューに保持された前記イベントに生産情報を付加し、処理イベントを出力する第２プロセッサと、
が、表示された編集領域において互いに接続されて構築されたデータ収集フローを読み込み、
前記データ収集フローに対応するプログラムを駆動することで、前記処理システムからの前記生産情報が付加された前記データの収集を実行する、
データ収集方法。
【請求項９】
前記収集において、
前記処理システムへのワークの投入を示す前記イベントが保持されると、複数の状態と、前記複数の状態間の遷移と、アクションと、を含むステートマシンを生成し、
前記生産情報としてＩＤを発番して前記ステートマシンに付加する、
請求項８記載のデータ収集方法。
【請求項１０】
前記収集において、
前記処理システムにおける波形データを前記イベントとして収集し、
前記波形データの一部を切り出し、前記ＩＤと紐付ける、
請求項９記載のデータ収集方法。
【請求項１１】
前記データ収集フローに対応する設定ファイルと、前記設定ファイルの文法定義を含む定義ファイルと、を読み込み、
前記文法定義に基づいて、前記設定ファイルの文法に誤りが無いか判定し、誤りが無かった場合に、前記設定ファイルに記述された前記データ収集フローを読み込む、請求項８〜１０のいずれか１つ記載のデータ収集方法。
【請求項１２】
前記設定ファイルの文法に誤りが有った場合に、通知を発する、請求項１１記載のデータ収集方法。
【請求項１３】
請求項８〜１２のいずれか１つに記載のデータ収集方法をコンピュータに実行させるプログラム。
【請求項１４】
請求項８〜１２のいずれか１つに記載のデータ収集方法をコンピュータに実行させるプログラムを記憶した記憶媒体。
【請求項１５】
ワークを処理する処理システムに設けられる互いに異なる検出部のデータをイベントとして収集する第１プロセッサと、
前記第１プロセッサによって収集された前記イベントを保持する第１キューと、
前記第１キューに保持された前記イベントに生産情報を付加し、処理イベントを出力する第２プロセッサと、
を含むソフトウェア部品と、編集領域と、を表示し、前記編集領域において、前記第１プロセッサと前記第１キューとの接続を受け付け、前記第１キューと前記第２プロセッサとの接続を受け付けることで、モデルを構築可能とする編集部を備えたモデル編集ユニット。
【請求項１６】
前記検出部は、カメラ、バーコードリーダ、近接センサ、光電センサ、温度センサ、圧力センサ、及び流量センサからなる群より選択された少なくとも１つを含む、請求項１５記載のモデル編集ユニット。
【請求項１７】
前記ソフトウェア部品は、第２キュー及び第３プロセッサを含み、
前記第２キューは、前記第２プロセッサから出力された前記処理イベントを保持し、
前記第３プロセッサは、前記第２キューに保持された前記処理イベントを、それぞれ、互いに異なる方式で外部に出力する請求項１５又は１６に記載のモデル編集ユニット。
【請求項１８】
出力部をさらに備え、
前記出力部は、構築された前記モデルを、前記処理システムのデータを収集するデータ収集ユニットで読み込み可能な設定ファイルとして出力する請求項１５〜１７のいずれか１つに記載のモデル編集ユニット。
【請求項１９】
前記第２プロセッサは、
前記処理システムへのワークの投入を示す前記イベントが前記第１キューに保持されると、複数の状態と、前記複数の状態間の遷移と、アクションと、を含むステートマシンを生成し、
前記生産情報としてＩＤを発番して前記ステートマシンに付加する
請求項１５〜１８のいずれか１つに記載のモデル編集ユニット。
【請求項２０】
前記第１プロセッサは、前記処理システムにおける波形データを前記イベントとして収集し、
前記第２プロセッサは、前記波形データの一部を切り出し、前記ＩＤと紐付ける請求項１９記載のモデル編集ユニット。
【請求項２１】
請求項１５〜２０のいずれか１つに記載のモデル編集ユニットと、
データ収集ユニットと、
を備え、
前記データ収集ユニットは、
前記モデルに対応するプログラムを生成する生成部と、
前記プログラムを駆動する駆動部と、
を有する支援システム。
【請求項２２】
ワークを処理する処理システムに設けられる互いに異なる検出部のデータをイベントとして収集する第１プロセッサと、
前記第１プロセッサによって収集された前記イベントを保持する第１キューと、
前記第１キューに保持された前記イベントに生産情報を付加し、処理イベントを出力する第２プロセッサと、
を含むソフトウェア部品と、編集領域と、を表示し、前記編集領域において、前記第１プロセッサと前記第１キューとが接続され、前記第１キューと前記第２プロセッサとが接続されることで、モデルを構築する、モデル編集方法。
【請求項２３】
前記ソフトウェア部品は、第２キュー及び第３プロセッサを含み、
前記第２キューは、前記第２プロセッサから出力された前記処理イベントを保持し、
前記第３プロセッサは、前記第２キューに保持された前記処理イベントを、それぞれ、互いに異なる方式で外部に出力する請求項２２記載のモデル編集方法。
【請求項２４】
前記第２プロセッサは、
前記処理システムへのワークの投入を示す前記イベントが前記第１キューに保持されると、複数の状態と、前記複数の状態間の遷移と、アクションと、を含むステートマシンを生成し、
前記生産情報としてＩＤを発番して前記ステートマシンに付加する
請求項２２又は２３に記載のモデル編集方法。
【請求項２５】
前記第１プロセッサは、前記処理システムにおける波形データを前記イベントとして収集し、
前記第２プロセッサは、前記波形データの一部を切り出し、前記ＩＤと紐付ける請求項２４記載のモデル編集方法。
【請求項２６】
請求項２２〜２５のいずれか１つに記載のモデル編集方法をコンピュータに実行させるプログラム。
【請求項２７】
請求項２２〜２５のいずれか１つに記載のモデル編集方法をコンピュータに実行させるプログラムを記憶した記憶媒体。
【手続補正２】
【補正対象書類名】明細書
【補正対象項目名】発明の名称
【補正方法】変更
【補正の内容】
【発明の名称】データ収集ユニット、データ収集方法、モデル編集ユニット、モデル編集方法、支援システム、プログラム、及び記憶媒体
【手続補正３】
【補正対象書類名】明細書
【補正対象項目名】０００１
【補正方法】変更
【補正の内容】
【０００１】
本発明の実施形態は、データ収集ユニット、データ収集方法、モデル編集ユニット、モデル編集方法、支援システム、プログラム、及び記憶媒体に関する。
【手続補正４】
【補正対象書類名】明細書
【補正対象項目名】０００４
【補正方法】変更
【補正の内容】
【０００４】
本発明が解決しようとする一の課題は、処理システムのデータを収集可能な、データ収集ユニット、支援システム、データ収集方法、プログラム、及び記憶媒体を提供することである。
本発明が解決しようとする別の課題は、より短時間で、処理システムの構成や付加したい生産情報に応じたプログラムの作成を可能とする、モデル編集ユニット、モデル編集方法、支援システム、プログラム、及び記憶媒体を提供することである。
【手続補正５】
【補正対象書類名】明細書
【補正対象項目名】０００５
【補正方法】変更
【補正の内容】
【０００５】
実施形態に係るデータ収集ユニットは、データ収集フローを読み込む。前記データ収集フローは、第１プロセッサと第１キューと第２プロセッサとが、表示された編集領域において互いに接続されて構築される。前記第１プロセッサは、処理システムに設けられる検出部のデータをイベントとして収集する。前記第１キューは、前記第１プロセッサによって収集された前記イベントを保持する。前記第２プロセッサは、前記第１キューに保持された前記イベントに生産情報を付加し、処理イベントを出力する。前記データ収集ユニットは、前記データ収集フローに対応するプログラムを駆動することで、前記処理システムからの前記生産情報が付加された前記データの収集を実行する。
実施形態に係るモデル編集ユニットは、編集部を備える。前記編集部は、ソフトウェア部品及び編集領域を表示し、前記編集領域において、前記第１プロセッサと前記第１キューとの接続を受け付け、前記第１キューと前記第２プロセッサとの接続を受け付けることで、モデルを構築可能とする。前記ソフトウェア部品は、処理システムに設けられる互いに異なる検出部のデータをそれぞれイベントとして収集する複数の第１プロセッサと、前記複数の第１プロセッサの少なくとも１つで収集された前記イベントを保持する第１キューと、前記第１キューに保持された前記イベントに、それぞれ互いに異なる生産情報を付加し、処理イベントを出力する複数の第２プロセッサと、を含む。